(57)【要約】【課題】専用検出ラインを用いずに外部接続装置の着脱検知を行うことのできる電子機器を提供する。【解決手段】撮像装置１００は、音声データ信号を送るデータ区間と検出信号を送る検出区間を有する単位信号が音声入力装置２００から入力されるデータラインに接続されるシュー端子１１５と、音声入力装置２００がシュー端子１１３〜１１７から脱着された場合、データラインの電位をＨレベルとする電圧設定部１２１と、音声入力装置２００の着脱を検出する音声通信部／着脱検出部１２０とを備える。音声通信部／着脱検出部１２０は、単位信号における検出信号に設定される論理値としてＬレベルおよび電圧設定部１２１によって設定されるＨレベルのどちらかの論理値を検出することにより、音声入力装置２００の着脱を検出する。【選択図】図３
2018019389.tif 000002
【特許請求の範囲】
【請求項１】
外部接続装置を着脱可能であり、データ信号を送るデータ区間と検出信号を送る検出区間を有する単位信号が前記外部接続装置から入力されるデータラインに接続される取り付け部と、
前記外部接続装置が前記取り付け部から脱着された場合、前記データラインの電位を一論理値とする電圧設定部と、
前記取り付け部に対する前記外部接続装置の着脱を検出する着脱検出部と、を備え、
前記着脱検出部は、前記単位信号における前記検出信号に設定される論理値として他論理値および前記電圧設定部によって設定される前記一論理値のどちらかの論理値を検出することにより、前記取り付け部に対する前記外部接続装置の着脱を検出する、電子機器。
【請求項２】
前記外部接続装置が前記電子機器に装着されると、前記外部接続装置が前記データ信号を出力する場合と前記データ信号を出力しない場合の何れの場合も、前記検出信号は前記他論理値に設定される、請求項１記載の電子機器。
【請求項３】
前記取り付け部を前記データラインに接続するか否かを切り替える信号切替部を、さらに備え、
前記電圧設定部は、前記着脱検出部と前記取り付け部との間において、前記データラインに接続される、請求項１記載の電子機器。
【請求項４】
前記取り付け部は、ホットシュー又はアクセサリーシューを構成する、請求項１記載の電子機器。
【発明の詳細な説明】
【技術分野】
【０００１】
本開示は、ホットシューを備えた電子機器に関する。
【背景技術】
【０００２】
特許文献１は、アクセサリーシューを備えた撮像装置を開示する。特許文献１に記載された撮像装置におけるアクセサリーシューは、ストロボ接続用電気接点と録音用外部マイクを接続する電気接点とを併有している。
【先行技術文献】
【特許文献】
【０００３】
【特許文献１】特開平１−１３５２７１号公報
【発明の概要】
【発明が解決しようとする課題】
【０００４】
本開示は、専用検出ラインを用いずに外部接続装置の着脱検知を行うことのできる電子機器を提供することを目的とする。
【課題を解決するための手段】
【０００５】
本開示にかかる電子機器は、外部接続装置を着脱可能であり、データ信号を送るデータ区間と検出信号を送る検出区間を有する単位信号が前記外部接続装置から入力されるデータラインに接続する取り付け部と、外部接続装置が取り付け部から脱着された場合、データラインの電位を一論理値とする電圧設定部と、取り付け部に対する外部接続装置の着脱を検出する着脱検出部と、を備える。着脱検出部は、単位信号における検出信号に設定される論理値として他論理値および電圧設定部によって設定される一論理値のどちらかの論理値を検出することにより、取り付け部に対する外部接続装置の着脱を検出する。
【発明の効果】
【０００６】
本開示にかかる電子機器は、専用検出ラインを用いずに、外部接続装置の着脱検知を、データラインを使用して行うことができる。
【図面の簡単な説明】
【０００７】
【図１】実施の形態にかかる撮像装置を上方から見た斜視図
【図２】実施の形態にかかる音声入力装置を下方から見た斜視図
【図３】実施の形態にかかる撮像装置と音声入力装置とを接続した状態を示すブロック図
【図４】実施の形態にかかる撮像装置の外部装置装着後の動作を示すフローチャート
【図５】実施の形態にかかる撮像装置に入力される音声データを説明する図
【図６】実施の形態にかかる撮像装置に入力される音声データの波形図
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、出願人は、当業者が本開示を十分に理解するために添付図面および以下の説明を提供するのであって、これらによって特許請求の範囲に記載の主題を限定することを意図するものではない。
【００１０】
（実施の形態１）
以下、図１〜６を用いて、実施の形態１について説明する。本実施の形態では、電子機器として撮像装置１００を、外部接続装置として音声入力装置２００などを例にしている。なお、撮像装置１００は外部接続装置として閃光装置を接続することも可能である。
【００１１】
［１−１．構成］
図１は、本実施の形態にかかる撮像装置１００を上方から見た斜視図である。図１に示すように、撮像装置１００は、シューレール１１１と、シュー端子１１３〜１１７とを含むホットシュー１１８を備えている。
【００１２】
図２は、実施の形態１にかかる音声入力装置２００を下方から見た斜視図である。図２に示すように、音声入力装置２００は、固定板２０２と固定板２０２から突出したシュー接続端子２０５〜２０９により構成される接続部２０１を備えている。音声入力装置２００は、撮像装置１００が備えるシューレール１１１に固定板２０２が挿入されることによって撮像装置１００に固定される。音声入力装置２００が撮像装置１００に固定されることにより、シュー端子１１３〜１１７はそれぞれ対応するシュー接続端子２０５〜２０９と互いに接続される。ホットシュー１１８を構成するシュー端子１１３〜１１７は音声入力装置２００を取り付ける取り付け部でもある。
【００１３】
本実施の形態では、シューレール１１１に固定板２０２が挿入されることによって、シュー端子１１３〜１１７がシュー接続端子２０５〜２０９に接続されるが、接続方法はかかる方法に限られない。撮像装置１００側の取り付け部として、シュー端子１１３〜１１７を備える必要があるが、シューレール１１１は必須の構成ではない。例えば、撮像装置１００側の取り付け部をシュー端子１１３〜１１７を備えるコネクタにより構成し、音声入力装置２００側の取り付け部をシュー接続端子２０５〜２０９を備えるコネクタにより構成して、互いのコネクタを機械的及び電気的に接続してもよい。
【００１４】
図３は、実施の形態１にかかる撮像装置１００と音声入力装置２００とを接続した状態を示すブロック図である。図３に示すように、撮像装置１００は、シュー端子１１３〜１１７と、電源供給部１１０と、音声通信部／着脱検出部１２０と、制御通信部１３０と、信号切替制御部１４０ａ・１４０ｂと、信号切替部１５０ａ〜１５０ｄと、サイリスタ１６０と、電圧設定部１２１を備える。音声通信部／着脱検出部１２０、制御通信部１３０及び信号切替制御部１４０ａ、１４０ｂは、それぞれハードワイヤードな電子回路で実現してもよいし、プログラムを実行するマイクロコンピュータなどで実現してもよい。またこれらは、コントローラとして一体的に１つの半導体チップとして実現してもよい。さらに、撮像装置１００は、レンズ、撮像素子、メモリ、モニタ、レリーズボタン等の操作部等の構成を備えるが、図３ではこれらの構成を省略し、本実施の形態に係る電子機器として必要な撮像装置１００の構成を示している。
【００１５】
電圧設定部１２１はシュー端子１１５に接続するデータラインの電位を一論理値（例えば、Ｈレベル）とする。本実施の形態では、電圧設定部１２１は信号切替部１５０ａと音声通信部／着脱検出部１２０との間においてデータラインをプルアップすることで構成されている。また、音声通信部／着脱検出部１２０は、音声入力装置２００の取り付け部に対する着脱を検出する着脱検出部としての機能も兼ねている。着脱検出機能として、電圧設定部１２１によってシュー端子１１５に設定されるＨレベルを検出することにより、撮像装置１００の取り付け部に対する音声入力装置２００の未装着を検出する。なお、着脱検出部は、音声通信部／着脱検出部１２０から分離して構成することもできる。
【００１６】
音声入力装置２００は、図３に示すように、シュー接続端子２０５〜２０９と、電源制御部２１０と、音声通信部２２０と、制御通信部２３０と、信号切替制御部２４０と、信号切替部２５０ａ〜２５０ｃとを備える。
【００１７】
音声入力装置２００の電力は、撮像装置１００から供給される。具体的には、撮像装置１００の電源供給部１１０は、電源供給端子であるシュー端子１１４に接続されており、ホットシュー１１８を介してシュー端子１１４に接続されたシュー接続端子２０６を介して音声入力装置２００に電力を供給する。音声入力装置２００の電源制御部２１０は、シュー接続端子２０６に接続されており、撮像装置１００の電源供給部１１０から電力の供給を受ける。
【００１８】
撮像装置１００の信号切替制御部１４０ａは、撮像装置１００の信号切替部１５０ａ〜１５０ｃの切替制御を行う。撮像装置１００の信号切替制御部１４０ｂは、撮像装置１００の信号切替部１５０ｄの切替制御を行う。
【００１９】
撮像装置１００の信号切替部１５０ａは、信号端子であるシュー端子１１５と接続されており、信号切替制御部１４０ａの切替制御によって、シュー端子１１５の接続先を、音声通信部／着脱検出部１２０のＤＡＴＡ端子１２０ａ及び制御通信部１３０のＴＴＬ端子１３０ａのいずれか一方に切替える。同様に撮像装置１００の信号切替部１５０ｂは、信号端子であるシュー端子１１６と接続されており、信号切替制御部１４０ａの切替制御によって、シュー端子１１６の接続先を、音声通信部／着脱検出部１２０のＷＣＬＫ端子１２０ｂ及び制御通信部１３０のＲＸＤ端子１３０ｂのいずれか一方に切替える。同様に撮像装置１００の信号切替部１５０ｃは、信号端子であるシュー端子１１７と接続されており、信号切替制御部１４０ａの切替制御によって、シュー端子１１７の接続先を、音声通信部／着脱検出部１２０のＢＣＬＫ端子１２０ｃ及び制御通信部１３０のＴＸＤ端子１３０ｃのいずれか一方に切替える。
【００２０】
撮像装置１００の信号切替部１５０ｄは、サイリスタ１６０を介して信号端子であるシュー端子１１３と接続されており、信号切替制御部１４０ｂの切替制御によって、シュー端子１１３の接続先を、制御通信部１３０のＳＴＢ＿ＴＲＧ端子１３０ｄ及び信号切替制御部１４０ａのいずれか一方に切替える。信号切替部１５０ｄの具体的な動作は後述する。
【００２１】
音声入力装置２００の信号切替制御部２４０は、シュー接続端子２０５に接続されるとともに、信号切替部２５０ａ〜２５０ｃの切替制御を行う。
【００２２】
音声入力装置２００の信号切替部２５０ａは、シュー接続端子２０７と接続されており、信号切替制御部２４０の切替制御によって、シュー接続端子２０７の接続先を、音声通信部２２０のＤＡＴＡ端子２２０ａ及び制御通信部２３０のＴＴＬ端子２３０ａのいずれか一方に切替える。同様に音声入力装置２００の信号切替部２５０ｂは、シュー接続端子２０８と接続されており、信号切替制御部２４０の切替制御によって、シュー接続端子２０８の接続先を、音声通信部２２０のＷＣＬＫ端子２２０ｂ及び制御通信部２３０のＴＸＤ端子２３０ｂのいずれか一方に切替える。同様に音声入力装置２００の信号切替部２５０ｃは、シュー接続端子２０９と接続されており、信号切替制御部２４０の切替制御によって、シュー接続端子２０９の接続先を、音声通信部２２０のＢＣＬＫ端子２２０ｃ及び制御通信部２３０のＲＸＤ端子２３０ｃのいずれか一方に切替える。
【００２３】
以下、撮像装置１００の初期状態、電流制限状態、制御通信モード、ネゴシエーション、音声通信モードについて説明する。
【００２４】
（初期状態）
撮像装置１００に音声入力装置２００が装着されていない初期状態においては、撮像装置１００の信号切替制御部１４０ａ及び信号切替制御部１４０ｂは、共にＬレベルの信号を出力する。このとき、撮像装置１００において、音声通信部／着脱検出部１２０と、制御通信部１３０と、信号切替制御部１４０ａと、信号切替部１５０ａ〜１５０ｄとの接続関係は、図３の実線で示すようになる。つまり、信号切替部１５０ａ〜１５０ｃによるシュー端子１１５〜１１７との接続は、制御通信部１３０側に切り替えられ、信号切替部１５０ｄによるサイリスタ１６０との接続は、制御通信部１３０側に切り替えられる。
【００２５】
（電流制限状態、制御通信モード）
撮像装置１００に音声入力装置２００が装着されると、撮像装置１００は通信に必要な最低限の電源供給を行う電流制限状態となっており、撮像装置１００のシュー端子１１３〜１１７と音声入力装置２００のシュー接続端子２０５〜２０９とがそれぞれ電気的に接続される。撮像装置１００の電源供給部１１０から出力された電力は、シュー端子１１４及びシュー接続端子２０６を介して音声入力装置２００の電源制御部２１０に到達し、音声入力装置２００の制御通信部２３０を動作させる。
【００２６】
音声入力装置２００の信号切替制御部２４０は、シュー接続端子２０５、シュー端子１１３及びサイリスタ１６０を介して撮像装置１００の信号切替部１５０ｄに接続される。信号切替制御部２４０は、撮像装置１００の制御通信部１３０のＳＴＢ＿ＴＲＧ端子１３０ｄ及び信号切替制御部１４０ａの一方と同じ論理値の信号を出力する。具体的には撮像装置１００に音声入力装置２００が装着されると、信号切替制御部１４０ｂの出力がＬレベルであるので、信号切替部１５０ｄは制御通信部１３０側への接続に切替えられ、ＳＴＢ＿ＴＲＧ端子１３０ｄの出力（Ｌレベル）を出力する。この場合、サイリスタ１６０は動作しないので、シュー端子１１３及びシュー接続端子２０５を介して音声入力装置２００の信号切替制御部２４０にＨレベルの信号が出力される。
【００２７】
このとき、信号切替制御部２４０はＨレベルを反転したＬレベルの信号を出力する。このように音声入力装置２００の信号切替制御部２４０がＬレベルの信号を出力するとき、音声入力装置２００の音声通信部２２０と、制御通信部２３０と、信号切替部２５０ａ〜２５０ｃとの接続関係は、図３の実線で示すようになる。つまり、信号切替部２５０ａ〜２５０ｃによるシュー接続端子２０７〜２０９との接続は、制御通信部２３０側に切り替えられる。
【００２８】
このように、信号切替制御部２４０を用いることにより、撮像装置１００の信号切替制御部１４０ａによる信号切替部１５０ａ〜１５０ｃの制御通信部１３０側への切替に同期して、信号切替部２５０ａ〜２５０ｃの制御通信部２３０側への切替を行うことができる。これにより、撮像装置１００の制御通信部１３０は、撮像装置１００のシュー端子１１５〜１１７及び音声入力装置２００のシュー接続端子２０７〜２０９を介して、音声入力装置２００の制御通信部２３０との通信が可能となり、制御通信モードとなる。
【００２９】
（ネゴシエーション）
撮像装置１００と音声入力装置２００との間の相互の通信が可能になると、撮像装置１００のＴＸＤ端子１３０ｃから音声入力装置２００のＲＸＤ端子２３０ｃに対してデバイスＩＤを要求する問合せを行い、音声入力装置２００のＴＸＤ端子２３０ｂから撮像装置１００のＲＸＤ端子１３０ｂに対してデバイスＩＤを返信するネゴシエーションを行う。これにより、撮像装置１００は、音声入力装置２００のデバイスＩＤを認識し、音声入力装置２００が接続されたと判断する。
【００３０】
（音声通信モード）
撮像装置１００は、音声入力装置２００が接続されたと判断すると、電源供給部１１０の電流制限を解除して音声入力装置２００に電力を供給し、装置内の全てのデバイスを動作させる。また、撮像装置１００の信号切替制御部１４０ａ及び信号切替制御部１４０ｂは、共にＨレベルの信号を出力する。これにより、撮像装置１００において、音声通信部／着脱検出部１２０と、制御通信部１３０と、信号切替制御部１４０ａと、信号切替部１５０ａ〜１５０ｄとの接続関係は、図３の破線で示すようになる。つまり、信号切替部１５０ａ〜１５０ｃによるシュー端子１１５〜１１７との接続は、音声通信部／着脱検出部１２０側に切替えられ、信号切替部１５０ｄによるサイリスタ１６０との接続は、信号切替制御部１４０ａ側に切り替えられる。
【００３１】
具体的には、撮像装置１００に音声入力装置２００が装着されたと判断すると、信号切替制御部１４０ｂの出力がＨレベルとなるので、信号切替部１５０ｄは信号切替制御部１４０ａ側への接続に切り替えられ、信号切替制御部１４０ａの出力（Ｈレベル）を出力する。この場合、サイリスタ１６０は動作するので、シュー端子１１３及びシュー接続端子２０５を介して音声入力装置２００の信号切替制御部２４０にＬレベルの信号が出力される。
【００３２】
このとき、信号切替制御部２４０はＬレベルを反転したＨレベルの信号を出力する。これにより、音声入力装置２００の音声通信部２２０と、制御通信部２３０と、信号切替部２５０ａ〜２５０ｃとの接続関係は、図３の破線で示すようになる。つまり、信号切替部２５０ａ〜２５０ｃによるシュー接続端子２０７〜２０９との接続は、音声通信部２２０側に切り替えられる。
【００３３】
このように、信号切替制御部２４０を用いることにより、撮像装置１００の信号切替制御部１４０ａによる信号切替部１５０ａ〜１５０ｃの音声通信部／着脱検出部１２０側への切替に同期して、信号切替部２５０ａ〜２５０ｃの音声通信部２２０側への切替を行うことができる。これにより、撮像装置１００の音声通信部／着脱検出部１２０は、撮像装置１００のシュー端子１１５〜１１７及び音声入力装置２００のシュー接続端子２０７〜２０９を介して、音声入力装置２００の音声通信部２２０との通信が可能となり、音声通信モードとなる。
【００３４】
撮像装置１００と音声入力装置２００との間で制御通信を行う場合は、撮像装置１００の信号切替制御部１４０ａがＬレベルの信号を出力することで、撮像装置１００の制御通信部１３０と音声入力装置２００の制御通信部２３０が接続され、相互の通信が可能になる。また撮像装置１００と音声入力装置２００との間で音声通信を行う場合は、撮像装置１００の信号切替制御部１４０ａがＨレベルの信号を出力することで、撮像装置１００の音声通信部／着脱検出部１２０と音声入力装置２００の音声通信部２２０が接続され、相互の通信が可能になる。
【００３５】
［１−２．動作］
以上のように構成された撮像装置１００について、その動作を以下説明する。図４は、実施の形態１の撮像装置１００の外部接続装置装着後の動作を示すフローチャートである。撮像装置１００に外部接続装置である音声入力装置２００が接続されると、図４に示すフローチャートに従って処理が開始される。
【００３６】
（ステップＳ４０１）
撮像装置１００に、音声入力装置２００が装着されると、上述した制御通信モードに入り、撮像装置１００の制御通信部１３０は、音声入力装置２００の制御通信部２３０と上述したネゴシエーションを行う。ネゴシエーションを行うことで撮像装置１００は、音声入力装置２００のデバイスＩＤを認識し、音声入力装置２００が接続されたと判断する。
【００３７】
（ステップＳ４０２）
撮像装置１００は、音声入力装置２００が接続されたと判断すると、電源供給部１１０の電流制限を解除して音声入力装置２００に電力を供給し、装置内の全てのデバイスを動作させる。また、撮像装置１００の信号切替制御部１４０ａがＨレベルの信号を出力することで、撮像装置１００の音声通信部／着脱検出部１２０は、音声入力装置２００の音声通信部２２０と接続され上述した音声通信モードになる。
【００３８】
（ステップＳ４０３）
撮像装置１００は、例えばＩ２Ｓ（Ｉｎｔｅｒ−ＩＣ  Ｓｏｕｎｄ）のオーディオ・データ・フォーマットに従って音声通信を開始する。
【００３９】
図５は、撮像装置１００の音声通信部／着脱検出部１２０に入力される音声データを説明する図である。図５に示す音声データは、音声通信部２２０のＤＡＴＡ端子２２０ａから信号切替部２５０ａ、シュー接続端子２０７、シュー端子１１５、信号切替部１５０ａ、音声通信部／着脱検出部１２０のＤＡＴＡ端子１２０ａに至るデータラインを介して音声入力装置２００から撮像装置１００に送信される。音声データは、図５に示すように、音声データ信号を送る音声区間（データ区間）と検出信号を送る非音声区間（検出区間）を有する単位信号から構成されている。具体的には、本実施の形態では、ＷＣＬＫ信号を４８ｋＨｚ、ＢＣＬＫ信号を３．０７２ＭＨｚ（６４ｆｓ）として、単位信号を３２ビットで構成している。そして、データ区間を２４ビットとし、検出区間を８ビットとしている。ただし、検出区間は少なくとも１ビットあれば良い。
【００４０】
図６は、撮像装置１００の音声通信部／着脱検出部１２０に入力される音声データの波形を説明する図である。音声入力装置２００が撮像装置１００に装着され音声通信部２２０が音声出力を行う場合、図６の（Ａ）欄に示すように、音声区間においては音声出力に応じた音声データ信号（１ビット毎にＨレベル又はＬレベル）が出力され、それに続く非音声区間においてはＬレベル（他論理値に相当）が出力される。また、音声入力装置２００の音声通信部２２０が音声出力を行わない場合は、図６の（Ｂ）欄に示すように、音声区間においては音声出力がないためＬレベルが出力され、それに続く非音声区間においてはＬレベルが出力される。即ち、音声入力装置２００が撮像装置１００に装着された状態においては、音声通信部２２０の音声出力に拘わらず、非音声区間においてはＬレベルが出力される。
【００４１】
（ステップＳ４０４）
図４に戻り、次に、撮像装置１００の音声通信部／着脱検出部１２０は、非音声区間の信号がＨレベルであるかＬレベルであるかを判断する。音声通信部／着脱検出部１２０は、非音声区間の信号がＬレベルであることを検出すると（Ｓ４０４においてＮｏの場合）、音声入力装置２００が装着されていると判断し、ステップＳ４０３の音声通信の動作を継続する。
【００４２】
一方、撮像装置１００の音声通信部／着脱検出部１２０は、非音声区間の信号がＨレベルであることを検出すると（Ｓ４０４においてＹｅｓ場合）、音声入力装置２００が未装着であると判断する。具体的には、図６の（Ｃ）欄に示すように、音声入力装置２００が未装着である（脱着された）場合、音声通信部／着脱検出部１２０は、撮像装置１００の音声通信部／着脱検出部１２０のＤＡＴＡ端子１２０ａをプルアップしておく構成を採用した電圧設定部１２１によって設定されるＨレベル（一論理値に相当）を検出することにより、撮像装置１００の取り付け部に対する音声入力装置２００の未装着を検出する。音声入力装置２００の未装着状態では、シュー端子１１５はオープン状態となり、電圧設定部１２１によって、ＤＡＴＡ端子１２０ａの電位は音声区間及び非音声区間においてＨレベルに設定される。
【００４３】
なお、図４に示すネゴシエーション（Ｓ４０１）において、撮像装置１００が音声入力装置２００のデバイスＩＤを認識できない場合、信号切替部１５０ａはＤＡＴＡ端子１２０ａへの接続に切り替わらない。そのため、音声入力装置２００が撮像装置１００のホットシュー１１８に固定されていても、電圧設定部１２１によって、ＤＡＴＡ端子１２０ａの電位はＨレベルに設定され、音声通信部／着脱検出部１２０に入力されるデータ波形は、図６の（Ｃ）欄に示す場合と同じになる。
【００４４】
このように本実施の形態では、撮像装置１００の音声通信部／着脱検出部１２０と音声入力装置２００の音声通信部２２０とが接続されているときに、音声入力装置２００が撮像装置１００から強制的に取り外されたなどの接続異常が生じた場合、撮像装置１００はＤＡＴＡ端子１２０ａに入力される検出信号を検出することにより接続異常を認識することができる。
【００４５】
音声入力装置２００が撮像装置１００に接続された状態において、音声入力装置２００の接続異常が検出された場合には、撮像装置１００の信号切替制御部１４０ａがＬレベルの信号を出力することで、撮像装置１００の制御通信部１３０と音声入力装置２００の制御通信部２３０とを接続し、再度ネゴシエーションを行えばよい。
【００４６】
以上のように、本開示にかかる撮像装置１００は、音声入力装置２００を着脱可能であり、データラインに接続されるシュー端子１１５と、音声入力装置２００がシュー端子１１３〜１１７から脱着された場合、データラインの電位をＨレベルとする電圧設定部１２１と、音声入力装置２００のシュー端子１１３〜１１７に対する着脱を検出する音声通信部／着脱検出部１２０と、を備える。音声通信部／着脱検出部１２０は、音声入力装置２００からデータラインを介して入力される、音声データ信号を送るデータ区間と検出信号を送る検出区間を有する単位信号における検出信号に設定されるＬレベルおよび電圧設定部１２１によって設定されるＨレベルのどちらかの論理値を検出することにより、音声入力装置２００のシュー端子１１３〜１１７に対する着脱を検出する。このことにより、専用検出ラインを用いずに外部接続装置の着脱検知を既存のデータラインを使用して行うことができる。
【００４７】
なお、外部接続装置としては、音声入力装置や閃光装置のほか、ハイレゾオーディオ伝送に対応したＢｌｕｅｔｏｏｔｈ（登録商標）やマルチチャネル対応のネットワークオーディオ、高速パケット通信など次世代の高速通信機器を適用することができる。音声入力装置以外の外部接続装置が電子機器に接続される場合、データラインには、それらの外部接続装置に応じた通信データが送信される。
【００４８】
また、上記実施の形態では、外部接続装置としての音声入力装置２００が電子機器としての撮像装置１００のホットシュー１１８に取り付けられる場合について示したが、外部接続装置は電子機器の取り付け部としてのシュー端子を有するアクセサリーシューに取り付けられてもよい。
【００４９】
なお、上述の実施の形態は、本開示における技術を例示するためのものであるから、特許請求の範囲またはその均等の範囲において種々の変更、置き換え、付加、省略などを行うことができる。
【産業上の利用可能性】
【００５０】
本開示は、ホットシューを備えた電子機器置に適用することが可能である。具体的には、カメラ、ムービー、カメラ機能付き携帯電話機、スマートフォンなどに、本開示は適用可能である。
【符号の説明】
【００５１】
１００    撮像装置
１１０    電源供給部
１１１    シューレール
１１３〜１１７    シュー端子
１１８    ホットシュー
１２０    音声通信部／着脱検出部
１２０ａ〜ｃ    音声通信部／着脱検出部の端子
１２１    電圧設定部
１３０    制御通信部
１３０ａ〜ｄ    制御通信部の端子
１４０ａ    信号切替制御部
１４０ｂ    信号切替制御部
１５０ａ〜ｄ    信号切替部
２００    音声入力装置
２０１    接続部
２０２    固定板
２０５〜２０９    シュー接続端子
２１０    電源制御部
２２０    音声通信部
２２０ａ〜ｃ    音声通信部の端子
２３０    制御通信部
２３０ａ〜ｃ    制御通信部の端子
２４０    信号切替制御部
２５０ａ〜ｃ    信号切替部
【図１】
2018019389.tif 000003
【図２】
2018019389.tif 000004
【図３】
2018019389.tif 000005
【図４】
2018019389.tif 000006
【図５】
2018019389.tif 000007
【図６】
2018019389.tif 000008